(57)【要約】【課題】  同一縮尺において注記名称の表示量の選択を可能にした注記名称表示装置及び注記名称表示方法等を提供すること。【解決手段】  位置関連情報取得手段５０と、位置関連情報に基づいて地図画像を作成するための地図画像作成情報を格納する地図画像作成情報格納手段２０６と、位置関連情報に基づいて目的物の名称の表示である注記名称表示を作成するための注記名称表示作成情報を格納する注記名称表示作成情報格納手段２１４と、地図画像と道路画像と注記名称表示とを合成して合成画像を作成するための合成画像作成情報を格納する合成画像作成情報格納手段２２４と、表示部５４と、を有する注記名称表示装置であって、注記名称表示作成情報２１５は、注記名称表示の表示量が異なる複数の表示レベルである表示レベル情報２１５ａと、表示レベル情報から特定の表示レベルを選択するための表示レベル選択情報２１５ｂと、を含む。【選択図】図３    
2005227340.tif 000002
【特許請求の範囲】
【請求項１】
位置関連情報を取得するための位置関連情報取得手段と、
前記位置関連情報に基づいて地図画像を作成するための地図画像作成情報を格納する地図画像作成情報格納手段と、
前記位置関連情報に基づいて目的物の名称の表示である注記名称表示を作成するための注記名称表示作成情報を格納する注記名称表示作成情報格納手段と、
前記地図画像と前記注記名称表示とを合成して合成画像を作成するための合成画像作成情報を格納する合成画像作成情報格納手段と、
表示部と、を有する注記名称表示装置であって、
前記注記名称表示作成情報は、
前記注記名称表示の表示量が異なる複数の表示レベルである表示レベル情報と、
前記表示レベル情報から特定の表示レベルを選択するための表示レベル選択情報と、を含むことを特徴とする注記名称表示装置。
【請求項２】
位置情報付コンテンツを格納するための位置情報付コンテンツ格納手段と、
前記位置情報付コンテンツに含まれる注記名称を前記注記名称表示に変換し、前記位置情報付コンテンツに含まれる位置情報を前記表示部上の座標に変換するための位置情報付コンテンツ変換情報を格納する位置情報付コンテンツ変換情報格納手段と、を有することを特徴とする請求項１に記載の注記名称表示装置。
【請求項３】
前記注記名称表示作成情報は、  
前記注記名称表示を複数の項目群に分類するための注記項目情報と、
前記注記項目情報に基づいて前記表示レベルの内容を変更するための表示レベル内容変更情報と、を含むことを特徴とする請求項１又は請求項２のいずれかに記載の注記名称表示装置。
【請求項４】
前記合成画像作成情報は、
前記注記名称表示の前記表示部上における座標である注記座標と、前記注記名称表示の前記表示部における面積である注記面積に基づいて、前記注記名称表示が前記表示部において互いに重なり合うか否かを判断するための重複判断情報と、
前記注記名称表示の前記表示部における配置及び／又は文字の大きさを変更することによって、前記注記名称表示の前記表示部における重なり合いを防止するための重複防止情報と、を含むことを特徴とする、請求項１乃至請求項３のいずれかに記載の注記名称表示装置。
【請求項５】
前記注記名称表示作成情報は、前記注記名称表示装置の使用者によって指定された指定目的物との距離に基づいて、前記複数の表示レベルを変更するための自動表示レベル変更情報を含むことを特徴とする請求項１乃至請求項４のいずれかに記載の注記名称表示装置。
【請求項６】
前記注記名称表示作成情報は、
前記注記名称表示装置の使用者によって指定された指定注記項目を、前記指定注記項目以外の非指定注記項目と区別して表示するための区別表示情報を含むことを特徴とする請求項１乃至請求項５のいずれかに記載の注記名称表示装置。
【請求項７】
前記合成画像作成情報は、
前記注記面積が前記注記表示部に占める割合である注記面積割合が許容限度以上か否かを判断するための許容限度判断情報と、
前記注記面積が前記許容限度未満となるために必要な数のレイヤを生成するためのレイヤ生成情報と、を含むことを特徴とする請求項１乃至請求項６のいずれかに記載の注記名称表示装置。
【請求項８】
前記許容限度情報は変更可能であることを特徴とする請求項７に記載の注記名称表示装置。
【請求項９】
前記合成画像作成情報は、
前記注記名称表示に優先順位を与え、前記レイヤのうち時間的に先に及び／又は長く表示される上位レイヤに、前記優先順位が高い前記注記名称表示を割り当てる優先割り当て情報を含むことを特徴とする請求項７又は請求項８のいずれかに記載の注記名称表示装置。
【請求項１０】
注記名称表示装置の位置関連情報取得手段が位置関連情報を取得する位置情報取得ステップと、
注記名称表示装置が前記位置関連情報に基づいて地図画像を作成する地図画像作成ステップと、
注記名称表示装置が前記位置関連情報に基づいて目的物の名称の表示である注記名称表示を作成する注記名称表示作成ステップと、
注記名称表示装置が前記地図画像と前記注記名称表示とを合成して合成画像を作成する合成画像作成ステップと、
注記名称表示装置が前記合成画像を表示する表示ステップと、
を有する注記名称表示方法であって、
前記注記名称表示作成ステップは、
注記名称表示装置が前記注記名称表示の表示量が異なる複数の表示レベルである表示レベル情報から特定の表示レベルを選択する表示レベル選択ステップを含むことを特徴とする注記名称表示方法。  
【請求項１１】
前記注記名称表示作成ステップは、
前記注記名称表示装置が、位置情報付コンテンツ情報に含まれる注記名称を前記注記名称表示に変換し、前記位置情報付コンテンツ情報に含まれる位置情報を前記表示部上の座標に変換する位置付コンテンツ変換ステップ、を含むことを特徴とする請求項１０に記載の注記名称表示方法。
【請求項１２】
前記注記名称表示作成ステップは、
注記名称表示装置が前記注記名称表示を複数の項目群に分類するための注記項目情報に基づいて、前記表示レベルを変更する表示レベル内容変更ステップを含むことを特徴とする請求項１０又は請求項１１のいずれかに記載の注記名称表示方法。
【請求項１３】
前記合成画像作成ステップは、
前記注記名称表示装置が、前記注記名称表示の前記表示部上における注記座標と、前記注記名称表示の前記表示部における面積である注記面積に基づいて、前記注記名称表示が前記表示部において互いに重なり合うか否かを判断する重複判断ステップと、
前記注記名称表示装置が、前記注記名称表示の前記表示部における配置及び／又は文字の大きさを変更することによって、前記注記名称表示の前記表示部における重なり合いを防止する重複防止ステップと、を含むことを特徴とする請求項１０乃至請求項１２のいずれかに記載の注記名称表示方法。
【請求項１４】
前記合成情報作成ステップは、
前記注記名称表示装置が、前記注記面積が前記注記表示部に占める割合である注記面積割合が許容限度以上か否かを判断する許容限度判断ステップと、
前記注記名称表示装置が、前記注記面積が前記許容限度未満となるために必要な数のレイヤの生成するレイヤ生成ステップと、を含むことを特徴とする、請求項１０乃至請求項１３のいずれかに記載の注記名称表示方法。
【請求項１５】
コンピュータに、
注記名称表示装置の位置関連情報取得手段が位置関連情報を取得する位置情報取得ステップと、
注記名称表示装置が前記位置関連情報に基づいて地図画像を作成する地図画像作成ステップと、
注記名称表示装置が前記位置関連情報に基づいて目的物の名称の表示である注記名称表示を作成する注記名称表示作成ステップと、
注記名称表示装置が前記地図画像と前記注記名称表示とを合成して合成画像を作成する合成画像作成ステップと、
注記名称表示装置が前記合成画像を表示する表示ステップと、
を実行させるための注記名称表示プログラムであって、
前記注記名称表示作成ステップには、
注記名称表示装置が前記注記名称表示の表示量が異なる複数の表示レベルである表示レベル情報から特定の表示レベルを選択する表示レベル選択ステップを含むことを特徴とする注記名称表示プログラム。
【請求項１６】
コンピュータに、
注記名称表示装置の位置関連情報取得手段が位置関連情報を取得する位置情報取得ステップと、
注記名称表示装置が前記位置関連情報に基づいて地図画像を作成する地図画像作成ステップと、
注記名称表示装置が前記位置関連情報に基づいて目的物の名称の表示である注記名称表示を作成する注記名称表示作成ステップと、
注記名称表示装置が前記地図画像と前記注記名称表示とを合成して合成画像を作成する合成画像作成ステップと、
注記名称表示装置が前記合成画像を表示する表示ステップと、
を実行させるための注記名称表示プログラムを記録したコンピュータ読み取り可能な記録媒体であって、
前記注記名称表示作成ステップには、
注記名称表示装置が前記注記名称表示の表示量が異なる複数の表示レベルである表示レベル情報から特定の表示レベルを選択する表示レベル選択ステップを含むことを特徴とする注記名称表示プログラムを記録したコンピュータ読み取り可能な記録媒体。
【発明の詳細な説明】
【技術分野】
【０００１】
本発明は、電子地図における注記名称表示装置、注記名称表示方法、注記名称表示プログラム、注記名称表示プログラムを記録したコンピュータ読み取り可能な記録媒体に関するものである。
【背景技術】
【０００２】
従来、電子地図である例えば、カーナビゲーション装置は、目的地の検索、目的地への経路探索、目的地への案内を行うという基本的機能を有している。そして、例えば液晶画面である表示部に道路地図や地名や建造物等の名称である注記名称を表示することにより、使用者が上記の基本的機能を利用できるようになっている。
【０００３】
ところが、ある縮尺の電子地図において表示されている注記名称が、他の縮尺の電子地図においては表示されない場合がある。例えば、狭い地域をカバーする１５００分の１の電子地図においては表示されている注記名称が、広い地域をカバーする３０００分の１の電子地図においては表示されない場合がある。
【０００４】
これは、１５００分の１の電子地図において例えば、平均２０個の注記名称が表示される場合に、その注記名称のすべてを３０００分の１の電子地図においても表示することにすると、電子地図の表示画面自体の面積は一定であるから、表示画面に表示される注記名称の数が１５００分の１の電子地図の場合よりも多くなり、電子地図が見づらくなるからである。
【０００５】
そのため、例えば、自動車に搭載される電子地図のある縮尺で表示されている注記名称が、別の縮尺においては表示されなかったり、省略して表示されていたりして、その注記名称を頼りに目的地に到達するときに、不便な場合がある。
例えば、１５００分の１の電子地図において表示されている甲ホテルに到達しようとするときに、自己位置がその電子地図には表示されていないために広域を表示する３０００分の１の電子地図に切り替えた場合、甲ホテルの注記名称が表示されず、甲ホテルへの道順がわからなくなる場合がある。
【０００６】
注記名称の表示方法については、ある縮尺で表示される注記名称の文字データについて、各注記名称ごとに表示態様を変更したり、文字データ自体を個別に追加又は削除するナビゲーション装置が提案されている（たとえば、特許文献１、図１等）。
【特許文献１】特開２００２−９８５４２号公報
【発明の開示】
【発明が解決しようとする課題】
【０００７】
しかし、上記特許文献１に記載のナビゲーション装置において、そもそも目的とする注記名称が表示されていない場合には、各注記名称の表示態様の変更等を行うことはできない。
すなわち、従来技術においては、同一縮尺において注記名称の表示量の選択ができないという問題がある。
【０００８】
そこで、本発明は、同一縮尺において注記名称の表示量の選択を可能にした注記名称表示装置、注記名称表示方法、注記名称表示プログラム、注記名称表示プログラムを記録したコンピュータ読み取り可能な記録媒体を提供することを目的とする。
【課題を解決するための手段】
【０００９】
前記目的は、第１の発明によれば、位置関連情報を取得するための位置関連情報取得手段と、前記位置関連情報に基づいて地図画像を作成するための地図画像作成情報を格納する地図画像作成情報格納手段と、前記位置関連情報に基づいて目的物の名称の表示である注記名称表示を作成するための注記名称表示作成情報を格納する注記名称表示作成情報格納手段と、前記地図画像と前記注記名称表示とを合成して合成画像を作成するための合成画像作成情報を格納する合成画像作成情報格納手段と、表示部と、を有する注記名称表示装置であって、前記注記名称表示作成情報は、前記注記名称表示の表示量が異なる複数の表示レベルである表示レベル情報と、前記表示レベル情報から特定の表示レベルを選択するための表示レベル選択情報と、を含むことを特徴とする注記名称表示装置によって達成される。
【００１０】
第１の発明の構成によれば、前記注記名称表示作成情報は、前記注記名称表示の表示量が異なる複数の表示レベルである表示レベル情報を含む。
これは、例えば、前記注記名称表示の表示量が最小限度であるレベル１、レベル１によりも前記注記名称表示の表示量が多いレベル２、レベル２よりもさらに前記注記名称表示の表示量が多いレベル３という複数の表示レベル情報を有することを意味する。
【００１１】
また、前記注記名称表示作成情報は、前記表示レベル情報から特定の表示レベルを選択するための表示レベル選択情報を含む。
このため、前記注記名称表示装置は例えば、前記レベル１乃至レベル３の各注記名称表示レベルのうち、特定の表示レベルを選択することができる。
ここで、前記表示レベル選択情報は、前記地図画像の縮尺とは別個の情報であるから、同一縮尺においても特定の表示レベルを選択することができる。
【００１２】
これにより、本発明によれば、同一縮尺において注記名称の表示量の選択を可能にした注記名称表示装置を提供することができる。
【００１３】
第２の発明は、第１の発明の構成において、前記注記名称表示装置は、位置情報付コンテンツを格納するための位置情報付コンテンツ格納手段と、前記位置情報付コンテンツに含まれる注記名称を前記注記名称表示に変換し、前記位置情報付コンテンツに含まれる位置情報を前記表示部上の座標に変換するための位置情報付コンテンツ変換情報を格納する位置情報付コンテンツ変換情報格納手段と、を有することを特徴とする。
【００１４】
第２の発明の構成によれば、前記注記名称表示装置は例えば、電話帳のデータである位置情報付コンテンツを格納するための位置情報付コンテンツ格納手段を有する。
そして、前記注記名称表示装置は、前記位置情報付コンテンツに含まれる名称を前記注記名称表示に変換し、前記位置情報付コンテンツに含まれる位置情報を前記表示部上の座標に変換するための位置情報付コンテンツ変換情報を格納するための位置情報付コンテンツ変換情報格納手段を有する。
【００１５】
このため、前記注記名称表示装置は、位置情報付コンテンツの一例である電話帳データを構成する住所、電話番号、会社名等の名称という各部分情報のうち会社名等の名称を抽出して前記注記名称表示に変換し、さらに、前記各部分情報のうち位置情報である住所を抽出して前記表示部上の座標情報に変換できる。
これにより、前記位置情報付コンテンツに含まれる情報を、注記名称表示として前記表示部に表示することができるのである。
【００１６】
第３の発明は、第１又は第２のいずれかの発明の構成において、前記注記名称表示作成情報は、前記注記名称表示を複数の項目群に分類するための注記項目情報と、前記注記項目情報に基づいて前記表示レベルの内容を変更するための表示レベル内容変更情報と、を含むことを特徴とする。    
【００１７】
前記注記項目情報は前記注記名称表示を例えば、地名、自然名称、行政機関、公共機関等の複数の項目群に分類するための情報である。  
前記表示レベル内容変更情報は前記注記名称表示を例えば、前記注記名称表示の表示量が最小限度であるレベル１においては地名及び自然名称という前記注記項目に属する前記注記名称が表示される場合に、さらに注記項目の一つである行政機関に属する前記注記名称を加えて表示させるようにしたり、自然名称という前記注記項目を削除して自然名称に属する前記注記名称を表示させないようにするための情報である。
【００１８】
これにより、同一縮尺の同一の前記表示レベルにおいて、前記注記名称表示装置の使用者が必要とする前記注記項目に属する前記注記名称表示を表示させることができる。
【００１９】
第４の発明は、第１乃至第３のいずれかの発明の構成において、前記合成画像作成情報は、前記注記名称表示の前記表示部上における座標である注記座標と、前記注記名称表示の前記表示部における面積である注記面積に基づいて、前記注記名称表示が前記表示部において互いに重なり合うか否かを判断するための重複判断情報と、前記注記名称表示の前記表示部における配置及び／又は文字の大きさを変更することによって、前記注記名称表示の前記表示部における重なり合いを防止するための重複防止情報と、を含むことを特徴とする。
【００２０】
このため、前記注記名称表示装置は、前記重複判断情報に基づいて、前記注記名称表示が重複すると判断した場合には、前記重複防止情報に基づいて例えば、前記注記名称表示の文字の大きさを小さくする、前記注記名称表示の文字の方向を変更する、前記注記名称表示の文字数を少なくすること等によって、前記注記名称表示の前記表示部における重なり合いを防止することができる。
これにより、前記注記名称表示の表示量が多い場合でも、前記注記名称表示を重複することなく、前記表示部に表示することができる。
【００２１】
第５の発明は、第１乃至第４のいずれかの発明の構成において、前記注記名称表示作成情報は、前記注記名称表示装置の使用者によって指定された指定目的物との距離に基づいて、前記複数の表示レベルを変更するための自動表示レベル変更情報を含むことを特徴とする。
【００２２】
第５の発明の構成によれば、前記注記名称表示装置は、その使用者によって指定された指定目的物との距離に基づいて、例えば、前記指定目的物との距離が遠い場合には前記表示レベルを前記注記名称表示の表示量が最小であるレベル１に設定し、指定目的物との距離が近づくと前記注記名称表示の表示量が多いレベル３に自動的に設定変更を行うことができる。
【００２３】
前記指定目的物と距離が遠い場合には、前記注記名称表示の表示量が少なく、自己位置周辺の前記注記名称表示が少ない方が前記注記名称表示装置の使用者にとって都合がよい場合があり、前記指定目的物と距離が近くなるにつれて、前記注記名称表示の表示量が多くなり、自己位置周辺の前記注記名称表示が多い方が前記注記名称表示装置の使用者にとって都合がよい場合があるから、前記注記名称表示装置の利用者にとって利便性の高い注記名称表示装置を提供することができるのである。
【００２４】
第６の発明は、第１乃至第５のいずれかの発明の構成において、前記注記名称表示作成情報は、前記注記名称表示装置の使用者によって指定された指定注記項目を、前記指定注記項目以外の非指定注記項目と区別して表示するための区別表示情報を含むことを特徴とする。
【００２５】
このため、前記注記名称表示装置は、前記指定注記項目に属する前記注記名称表示を例えば、視認が容易なように太文字で表示したり、あるいは、前記指定項目に属する前記注記名称表示を視認が容易にするために、前記非指定項目情報を目立たないように半透明にするなど、前記指定項目と前記非指定項目とを区別して表示することができる。
これにより、前記注記名称表示装置の使用者が必要とする前記注記項目に属する注記名称表示を、視認容易な態様で表示させることができる。
【００２６】
第７の発明は第１乃至第６のいずれかの発明の構成において、前記合成画像作成情報は、前記注記面積が前記注記表示部に占める割合である注記面積割合が許容限度以上か否かを判断するための許容限度判断情報と、前記注記面積が前記許容限度未満となるために必要な数のレイヤを生成するためのレイヤ生成情報と、を含むことを特徴とする。
【００２７】
このため、前記注記名称表示装置は前記許容限度判断情報に基づいて、前記注記名称表示が前記表示部において占める面積が許容限度以上であると判断した場合には、レイヤ生成情報に基づいて、前記注記面積が前記許容限度未満となるために必要な数のレイヤを生成することができる。
【００２８】
これにより、単一のレイヤにおいては、例えば、前記注記名称表示を重複することなく表示できない場合、あるいは、視認困難な表示になる場合等、前記許容限度以上である場合においては、前記注記名称表示を複数のレイヤに分散させ、各レイヤの前記注記名称表示の表示量を前記許容限度未満にすることによって、視認容易な態様で前記注記名表示を前記表示部に表示させることができるのである。
【００２９】
第８の発明は、第７の発明の構成において、前記許容限度情報は変更可能であることを特徴とする。
【００３０】
第９の発明は、前記合成画像作成情報は、前記注記名称表示に優先順位を与え、前記レイヤのうち時間的に先に及び／又は長く表示される上位レイヤに、前記優先順位が高い前記注記名称表示を割り当てる優先割り当て情報を含むことを特徴とする。
【００３１】
第９の発明の構成によれば、前記注記名称表示に例えば、行政機関に属する注記名称表示が第１位であるという優先順位を与えることにより、前記レイヤのうち時間的に先に及び／又は長く表示される上位レイヤに行政機関に属する注記名称表示を割り当てることができる。
これにより、前記注記名称表示の使用者が必要とする前記注記名称表示を優先的に表示することができる。
【００３２】
前記目的は、第１０の発明の構成によれば、注記名称表示装置の位置関連情報取得手段が位置関連情報を取得する位置情報取得ステップと、注記名称表示装置が前記位置関連情報に基づいて地図画像を作成する地図画像作成ステップと、注記名称表示装置が前記位置関連情報に基づいて目的物の名称の表示である注記名称表示を作成する注記名称表示作成ステップと、注記名称表示装置が前記地図画像と前記注記名称表示とを合成して合成画像を作成する合成画像作成ステップと、注記名称表示装置が前記合成画像を表示する表示ステップと、を有する注記名称表示方法であって、前記注記名称表示作成ステップは、注記名称表示装置が前記注記名称表示の表示量が異なる複数の表示レベルである表示レベル情報から特定の表示レベルを選択する表示レベル選択ステップを含むことを特徴とする注記名称表示方法によって達成される。
【００３３】
第１１の発明は、第１０の発明の構成において、前記注記名称表示作成ステップは、前記注記名称表示装置が、位置情報付コンテンツ情報に含まれる注記名称を前記注記名称表示に変換し、前記位置情報付コンテンツ情報に含まれる位置情報を前記表示部上の座標に変換する位置付コンテンツ変換ステップ、を含むことを特徴とする。
【００３４】
第１２の発明は、第１０又は第１１のいずれかの発明の構成において、前記注記名称表示作成ステップは、注記名称表示装置が前記注記名称表示を複数の項目群に分類するための注記項目情報前記注記項目情報に基づいて、前記表示レベルの内容を変更する表示レベル内容変更ステップを含むことを特徴とする。  
【００３５】
第１３の発明は、第１０乃至第１２のいずれかの発明の構成において、前記合成画像作成ステップは、前記注記名称表示装置が、前記注記名称表示の前記表示部上における注記座標と、前記注記名称表示の前記表示部における面積である注記面積に基づいて、前記注記名称表示が前記表示部において互いに重なり合うか否かを判断する重複判断ステップと、前記注記名称表示装置が、前記注記名称表示の前記表示部における配置及び／又は文字の大きさを変更することによって、前記注記名称表示の前記表示部における重なり合いを防止する重複防止ステップと、を含むことを特徴とする。
【００３６】
第１４の発明は、第１０乃至第１３のいずれかの発明の構成において、前記合成情報作成ステップは、前記注記名称表示装置が、前記注記面積が前記注記表示部に占める割合である注記面積割合が許容限度以上か否かを判断する許容限度判断ステップと、前記注記名称表示装置が、前記注記面積が前記許容限度未満となるために必要な数のレイヤの生成するレイヤ生成ステップと、を含むことを特徴とする。
【００３７】
前記目的は、第１５の発明によれば、コンピュータに、注記名称表示装置の位置関連情報取得手段が位置関連情報を取得する位置情報取得ステップと、注記名称表示装置が前記位置関連情報に基づいて地図画像を作成する地図画像作成ステップと、注記名称表示装置が前記位置関連情報に基づいて目的物の名称の表示である注記名称表示を作成する注記名称表示作成ステップと、注記名称表示装置が前記地図画像と前記注記名称表示とを合成して合成画像を作成する合成画像作成ステップと、注記名称表示装置が前記合成画像を表示する表示ステップと、を実行させるための注記名称表示プログラムであって、前記注記名称表示作成ステップには、注記名称表示装置が前記注記名称表示の表示量が異なる複数の表示レベルである表示レベル情報から特定の表示レベルを選択する表示レベル選択ステップを含むことを特徴とする注記名称表示プログラムによって達成される。
【００３８】
前記目的は、第１６の発明によれば、コンピュータに、注記名称表示装置の位置関連情報取得手段が位置関連情報を取得する位置情報取得ステップと、注記名称表示装置が前記位置関連情報に基づいて地図画像を作成する地図画像作成ステップと、注記名称表示装置が前記位置関連情報に基づいて目的物の名称の表示である注記名称表示を作成する注記名称表示作成ステップと、  注記名称表示装置が前記地図画像と前記注記名称表示とを合成して合成画像を作成する合成画像作成ステップと、注記名称表示装置が前記合成画像を表示する表示ステップと、を実行させるための注記名称表示プログラムを記録したコンピュータ読み取り可能な記録媒体であって、前記注記名称表示作成ステップには、注記名称表示装置が前記注記名称表示の表示量が異なる複数の表示レベルである表示レベル情報から特定の表示レベルを選択する表示レベル選択ステップを含むことを特徴とする注記名称表示プログラムを記録したコンピュータ読み取り可能な記録媒体によって達成される。
【発明を実施するための最良の形態】
【００３９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００４０】
（第１の実施の形態）
図１は、本発明の実施の形態である注記名称表示装置の一例であるカーナビゲーション装置１２等を示す概略図である。
図１に示すように、本実施の形態における注記名称表示装置は例えば、道路Ｅを走行する自動車１０に搭載されているカーナビゲーション装置１２である（以後、カーナビ１２と呼ぶ）。
カーナビ１２は、位置情報衛星である例えば、ＧＰＳ（Ｇｌｏｂａｌ  Ｐｏｓｉｔｉｏｎｉｎｇ  Ｓｙｓｔｅｍ）衛星１４ａ乃至１４dからの受信するアンテナ部１２ｃを有する。
【００４１】
ＧＰＳ衛星１４ａ乃至１４ｄは、位置関連情報である例えば、信号Ｓ１乃至Ｓ４を送信し、アンテナ部１２ｃはこれらを受信する。アンテナ部１２ｃが受信した信号Ｓ１乃至Ｓ４は、ケーブル部１２ｂを介してカーナビ１２の本体部１２ａに取得される。
カーナビ１２は、こうして取得した信号Ｓ１等に基づいて、その信号Ｓ１等からカーナビ１２の現在位置を生成し、現在位置を基準として地図を作成する装置である。具体的には、カーナビ１２は、建物等の目的物、道路、建物等の目的物の名称である注記名称の合成画像を生成し、時間経過に連れて移動するカーナビ１２の現在位置とともに表示するための装置である。
【００４２】
なお、本実地の形態とは異なり、注記名称表示装置は、カーナビ１２に限らず、携帯電話機、ＰＨＳ、ＰＤＡ等であってもよい。
また、ＧＰＳ衛星は、４個以上であってもよい。
【００４３】
（カーナビ１２の主なハード構成について）
図２はカーナビ１２の主なハードウエア構成等を示す概略図である。
図２に示すように、カーナビ１２は、例えばコンピュータを有しており、コンピュータは、バス４２を有し、バス４２には、ＣＰＵ（Ｃｅｎｔｒａｌ  Ｐｒｏｃｅｓｓｉｎｇ  Ｕｎｉｔ）４４、ＲＡＭ（Ｒａｎｄｏｍ  Ａｃｃｅｓｓ  Ｍｅｍｏｒｙ）４６やＲＯＭ（Ｒｅａｄ  Ｏｎｌｙ  Ｍｅｍｏｒｙ）４８等が配置されている。
すなわち、このバス４２はすべてのデバイスを接続する機能を有し、アドレスやデータパスを有する内部パスである。
【００４４】
ＣＰＵ４４は所定のプログラムの処理を行う他、バス４２に接続された記憶手段であるＲＯＭ４８等を制御する制御手段である。ＲＯＭ４８は、各種プログラムや各種情報等を格納している。
ＲＡＭ４６は、プログラム処理中のメモリの内容を対比したり、プログラムを実行するためのエリアとしての機能を有する。
【００４５】
また、このバス４２には、ＧＰＳ衛星１４ａ乃至１４dからの信号を取得するための位置関連情報取得手段である例えば、ＧＰＳ装置５０が接続されており、カーナビ１２の位置を測位できるように構成されている。
【００４６】
また、このバス４２には、各種情報を記録するための記録装置５２、各種情報を表示するための表示部である表示装置５４、使用者がカーナビ１２を操作するための操作部５６が接続されている。
表示装置５４は表示画面５４ａを有する。
記録装置５２は、ＣＤ−ＲＯＭ、ＤＶＤ−ＲＯＭ、ハードディスクドライブ（ＨＤＤ）等の記録媒体である。
【００４７】
なお、本実施の形態とは異なり、各種情報はカーナビ１２とは別の位置に設置される図示しない情報記録用サーバから、通信データとして必要に応じて取得するように構成してもよい。
【００４８】
（カーナビ１２の主なソフト構成について）
図３は、カーナビ１２の主なソフトウエア構成等を示す概略図である。
図３に示すようにカーナビ１２は、各部を制御するための制御部２００、図２の表示装置５４に各種情報を表示させる表示制御部２０２、図２のＧＰＳ装置５０に対応する自己位置測位部２０４を有する。
【００４９】
また、カーナビ１２は、信号Ｓ１等に基づいて地図画像を作成するための地図画像作成情報を格納する地図画像作成情報格納手段である例えば、地図画像作成情報格納用データベース２０６を有する。
【００５０】
また、カーナビ１２は、作成した地図画像を格納する地図画像格納用データベース２０８を有する。
この地図画像は、山、川等の地形、建物等の目的物、及び道路の画像である。
これにより、カーナビ１２は、信号Ｓ１等に基づいて生成した自己位置を基準とする地図画像を作成して格納することができる。
【００５１】
また、カーナビ１２は、信号Ｓ１等に基づいて目的物の名称の表示である注記名称表示を作成するための注記名称表示作成情報を格納する注記名称表示作成情報格納手段である例えば、注記名称表示作成情報格納用データベース２１４を有する。また、カーナビ１２は、作成した注記名称表示を格納する注記名称表示格納用データベース２１６を有する。
これにより、カーナビ１２は、信号Ｓ１等に基づいて生成した自己位置を基準とする注記名称表示を作成して格納することができる。具体的には、カーナビ１２は、自己位置周辺の注記名称表示を抽出し、データとして格納する。
【００５２】
ここで、図４を使用して、注記名称表示作成情報格納用データベース２１４に格納されている注記名称表示作成情報２１５の内容について説明する。  
図４は、注記名称表示作成情報格納用データベース２１４に格納されている注記名称表示作成情報２１５の一例を示す図である。
図４に示すように、注記名称表示作成情報２１５は、前記注記名称表示の表示量が異なる複数の表示レベルである表示レベル情報２１５ａを含む。
【００５３】
表示レベルには例えば、地名、自然名称（山、川等）という最小限の注記項目に属する注記名称表示を表示するレベル１、レベル１に加えて行政機関、公共機関、交通関係機関等の注記項目に属する注記名称表示を表示するレベル２、レベル２に加えて企業名称、商店名称等の注記項目に属する注記名称表示を表示するレベル３、レベル３に加えて個人名称等の注記項目に属する注記名称表示を表示するレベル４まで、注記名称表示の表示量が異なる複数の表示レベルがある。
【００５４】
さらに、注記名称表示作成情報２１５は、表示レベル情報２１５ａから特定の表示レベルを選択するための表示レベル選択情報２１５ｂを含む。
ここで、図５を使用して、表示レベル選択情報２１５ｂ等について説明する。
図５（ａ）乃至図５（ｄ）は、表示画面５４ａに表示される画像例を示す図である。
図５（ａ）乃至図５（ｄ）に示す画像例は、表示レベル選択情報２１５ｂに基づいて表示される。  
【００５５】
図５（ａ）に示すように、カーナビ１２作動中は、表示画面５４ａに、注記名称表示設定アイコン３００が表示されている。
注記名称表示設定アイコン３００が、カーナビ１２の使用者によって選択動作（以下、クリックという）されると、表示画面５４ａには、図５（ｂ）に示すように、表示レベル変更用アイコン３０１及び表示レベル内容編集用アイコン３０２が表示される。
そして、表示レベル変更用アイコン３０１がクリックされると、図５（ｃ）に示すように、レベル１に対応するアイコン５５ａ、レベル２に対応するアイコン５５ｂ、レベル３に対応するアイコン５５ｃ、レベル４に対応するアイコン５５ｄが表示される。これらのアイコン５５ａ等は、カーナビ１２が、その使用者（以下、単に使用者と言う）に表示レベルを指定させるためのアイコンである。
【００５６】
これにより、カーナビ１２は、使用者にレベル１乃至レベル４のいずれかの表示レベルを指定させ、その指定させた表示レベルに基づいて、注記名称表示を作成できるように構成されている。
【００５７】
使用者がアイコン５５ａ乃至５５ｄのいずれかのアイコンをクリックすると、表示画面５４ａには、図５（ｄ）に示す位置情報付コンテンツ利用選択画面が表示される。
そして、アイコン５５１又は５５２のうち、「利用しない」というアイコン５５２が選択されると、図５（ｃ）で指定した表示レベルで、注記名称表示が作成される。
【００５８】
ここで、表示レベル選択情報２１５ｂは、上述の地図画像の縮尺とは別個の情報であるから、カーナビ１２はその使用者に、同一縮尺において、レベル１乃至４のうちから任意の表示レベルを指定させることができる。
なお、カーナビ１２の使用者が表示レベルを指定しない場合には、注記名称表示は、標準表示レベルとして例えば、レベル３で表示される。
【００５９】
具体的には図６を用いて以下に説明するように、カーナビ１２はその使用者に、同一縮尺において、レベル１乃至４のうちから任意の表示レベルを指定させることができる。
図６（ａ）及び図６（ｂ）は、図２の表示装置５４の表示画面５４ａに表示される画像例を示す図である。
【００６０】
例えば、友人からのうわさを聞いた甲が、レストランＸにカーナビ１２付の自動車で出かけるとする。そのレストランＸの場所は非常にあいまいで、ＡＢ区のＣＤ電機の裏にあるらしいという情報しかない。
ＡＢ区は図６（ａ）のＳ地点からそれほど遠くはなく、甲はＡＢ区自体の場所は知っているが、どのような建物等があるのかは知らない。
そこで、図６（ａ）に示すように甲がＡＢ区に入り、Ｓ地点に来ると、カーナビ１２は有名な建造物であるＥＦホテル、ＧＨ書店、ＩＪ銀行を注記名称表示として、表示画面５４ａに表示する。しかし、ＣＤ電機は、小さな店なので現在の表示レベルでは表示されていない。
甲は、レストランＸはＳ地点の周辺らしいということが予測できるので、表示レベルを注記表示の表示量が多い表示レベルに変更する。
そうすると、カーナビ１２は、図６（ａ）の表示レベルにおいては表示していなかった、ＣＤ電機を図６（ｂ）に示すように表示する。
甲は、ＣＤ電機を目視にて発見したので、情報通り、ＣＤ電機の横にある細い道Ｅ２に入ると、目的のレストランＸに到達することができた。
【００６１】
以上で説明したように、注記名称表示作成情報２１５によって、同一縮尺において注記名称の表示量の選択を可能にした注記名称表示装置を提供することができるのである。
【００６２】
また、カーナビ１２は、図３に示すように前記地図画像と前記注記名称表示とを合成して合成画像を作成するための合成画像作成情報を格納する合成画像作成情報格納手段である例えば、合成画像作成情報格納用データベース２２４を有する。また、カーナビ１２は、作成した合成画像を格納する合成画像格納用データベース２２６を有する。
【００６３】
これにより、カーナビ１２は、信号Ｓ１等に基づいて生成した自己位置を基準として作成した、地図画像と注記名称表示の合成画像を作成し、格納することができる。
【００６４】
また、カーナビ１２は、位置情報付コンテンツを格納するための位置情報付コンテンツ格納手段である例えば、位置情報付コンテンツ格納用データベース２１８を有する。
【００６５】
さらに、カーナビ１２は、位置情報付コンテンツに含まれる注記名称を注記名称表示に変換し、さらに、位置情報付コンテンツに含まれる位置情報を図２の表示画面５４ａ上の座標に変換するための位置情報付コンテンツ変換情報を格納する位置情報付コンテンツ変換情報格納手段である例えば、位置情報付コンテンツ変換情報格納用データベース２２０を有する。
【００６６】
このため、カーナビ１２は、各部分情報のうち会社名等の名称を抽出して注記名称表示に変換し、さらに、各部分情報のうち位置情報である住所を抽出して表示画面５４ａ上の座標情報に変換することができる。
【００６７】
以下、図７等を使用して、位置情報付コンテンツ変換情報について説明する。  
図７（ａ）は、表示画面５４ａの画像例を示す図である。
図７（ｂ）は、電話帳データの一例を示す図である。
【００６８】
表示画面５４ａに表示される図５（ｄ）の位置情報付コンテンツ利用選択用アイコンのうち、利用するというアイコン５５１がクリックされると、図７（ａ）に示すように、地名等の電話帳項目及び、アイコン５５３ａ及び５５３ｂが表示画面５４ａに表示される。
【００６９】
アイコン５５３ａは項目表示用アイコンであり、使用者にクリックさせることによって、示す電話帳データのうち例えば銀行という注記項目に属する注記名称のデータを表示するためのアイコンである。
【００７０】
アイコン５５３ｂは項目削除用アイコンであり、使用者にクリックさせることによって、電話帳データのうち例えば個人名という注記項目に属する注記名称のデータが注記名称表示として表示画面５４ａに表示されている場合に、これを非表示にする処理をするためのアイコンである。
【００７１】
図７（ｂ）に示すように、電話帳データは、名称、住所、電話番号という各部分情報からなる。
例えば、銀行を表示するための項目表示用のアイコン５５３ａ１がクリックされた場合には、カーナビ１２は、図７（ｂ）の「ＡＢ銀行、東京都千代田区１丁目１番地１号  ０３−００００−９９９９」という電話帳データから、「ＡＢ銀行」という名称を抽出して注記名称表示に変換し、「東京都千代田区１丁目１番地１号」という位置情報を抽出して図２の表示装置５４の表示画面５４ａ上の座標（ピクセル座標）に変換する。
これにより、位置情報付コンテンツに含まれる情報を、注記名称表示として前記表示画面５４ａに表示することができるのである。  
【００７２】
さらに、図４に示すように、注記名称表示作成情報２１５は、注記名称表示を複数の項目群に分類するための注記項目情報２１５ｃを含む。
また、注記名称表示作成情報２１５は、注記項目情報２１５ｃに基づいて表示レベルを変更するための表示レベル内容変更情報２１５ｄを含む
以下、注記項目情報２１４ｃ及び表示レベル内容変更情報２１５ｄについて説明する。
【００７３】
注記項目情報２１５ｃは、図４に示すように、地名、自然名称等であり、注記名称表示を例えば、地名、自然名称、行政機関、公共機関等の複数の項目群に分類するための情報である。
【００７４】
例えば、自然名称という注記項目には、隅田川、利根川、神田川、富士山等の注記名称表示が分類され、行政機関という注記項目には、国会、最高裁判所、特許庁等の注記名称表示が分類されるのである。  
【００７５】
表示レベル内容変更情報２１５ｄは、注記名称表示を例えば、注記名称表示の表示量が最小限度であるレベル１においては地名及び自然名称という前記注記項目に属する前記注記名称が表示される場合に、さらに注記項目の一つである行政機関に属する前記注記名称を加えて表示させるようにしたり、自然名称という前記注記項目を削除して自然名称に属する前記注記名称を表示させないようにするための情報である。
【００７６】
図８（ａ）乃至図８（ｄ）は、図２の表示装置５４の表示画面５４ａに表示される画像例である。
図８（ａ）の注記名称表示設定用アイコン３００が使用者によってクリックされ、さらに、図８（ｂ）の表示レベル内容編集用アイコン３０２がクリックされると、図２の表示画面５４ａには、図８（ｃ）に示すように、内容を編集する表示レベルを使用者に選択させるための選択対象レベル指定用アイコン６５ａ乃至６５ｄが表示される。
【００７７】
使用者が、選択対象レベル指定用アイコン６５ａをクリックすると、図８（ｄ）に示すように、表示画面５４ａには、レベル１の当初の設定の地名、自然名称という注記項目のほかに、ガソリンスタンド名称、商店名称、個人名という注記項目が表示され、各注記項目を削除して非表示にするための各アイコン６７ａ、各注記項目を追加表示するための各アイコン６７ｂが表示される。アイコン６７ａ及びアイコン６７ｂは、注記項目変更用アイコンである。
【００７８】
カーナビ１２はその使用者に、これらの各アイコンを選択させることによって、使用者から、必要な注記項目を追加する追加表示情報や、不必要な注記項目を削除するための非表示情報を取得することができる。
【００７９】
これにより、同一縮尺の同一の表示レベルにおいて、カーナビ１２の使用者が必要とする注記項目に属する注記名称表示を表示させることができるのである。
【００８０】
さらに、図３の合成画像作成情報格納用データベース２２４に格納されている合成画像作成情報２２５は、注記名称表示の表示画面５４ａ上における座標である注記座標と、注記名称表示の表示画面５４ａにおける面積である注記面積に基づいて、注記名称表示が表示画面５４ａにおいて互いに重なり合うか否かを判断するための重複判断情報２２５ａを含む。
【００８１】
また、合成画像作成情報２２５は、注記名称表示の表示画面５４ａにおける配置及び／又は文字の大きさを変更することによって、注記名称表示の表示画面５４ａにおける重なり合いを防止するための重複防止情報２２５ｂを含む
【００８２】
以下、カーナビ１２が重複判断情報２２５ａ及び重複防止情報２２５ｂについて説明する。
図９（ａ）は、注記名称表示の重複状態等を示す図である。
図９（ｂ）は、重複状態を防止した状態を示す図である。
【００８３】
カーナビ１２は、図３の重複判断情報２２５ａに基づいて、注記名称表示が重複すると判断した場合には、重複防止情報２２５ｂに基づいて例えば、注記名称表示の文字の大きさを小さくする、注記名称表示の文字の方向を変更する、注記名称表示の文字数を少なくする等によって、以下において説明するように、注記名称表示の表示画面５４ａにおける重なり合いを防止する。
【００８４】
重複判断情報２２５ａは、例えば次のようなシミュレーションを行うことによって、注記名称表示が表示画面５４ａにおいて重複するか否かを判断するための情報である。  
すなわち、図９（ａ）に示すように、注記名称表示Ｐの表示画面５４ａ上の注記座標がＰ１であり、その注記面積がＰ２であって、注記名称表示Ｑの注記座標がＱ１であり、その注記面積がＱ２であれば、注記名称表示Ｐと注記名称表示Ｑは重複部分Ｒを生じることがわかる。
【００８５】
重複防止情報２２５ｂは、カーナビ１２が重複判断情報２２５ａによって注記名称表示が表示画面５４ａ上において重複すると判断した場合に、その重複状態を防止するための情報である。  
すなわち、カーナビ１２は重複防止情報２２５ｂに基づいて、図９（ａ）の例では、注記名称表示Ｐを矢印Ｘ１方向に文字方向を変更し、注記名称表示Ｑを矢印Ｘ２方向に文字方向を変更することによって、図９（ｂ）に示すように注記名称表示Ｐ及びＱの重複を防止する。
【００８６】
これにより、注記名称表示の表示量が多い場合でも、注記名称表示を重複することなく、表示画面５４ａに表示することができるのである。
【００８７】
（第１の実施形態のカーナビ１２の動作例等について）
以上のように、カーナビ１２は構成されるが、以下その動作例を説明する。
図１０、図１１、図１２及び図１３はカーナビ１２の動作例を示す概略フローチャートである。
【００８８】
ステップＳＴ１はカーナビ１２が作動を開始する作動開始ステップである。
ステップＳＴ２は、測位部２０４が位置関連情報を取得する位置情報取得ステップの一例である。
具体的には、図３の自己位置測位部２０４が図１のＧＰＳ衛星１４ａ乃至１４ｄから信号Ｓ１乃至Ｓ４を取得し、自己位置の情報である自己位置情報を生成する。
【００８９】
ステップＳＴ３は、カーナビ１２が前記位置関連情報に基づいて地図画像を作成する地図画像作成ステップの一例である。
具体的には、制御部２００は、図３の地図画像作成情報格納用データベース２０６に格納された地図画像作成情報に基づいて、ステップＳＴ２で生成した自己位置情報の自己位置を基準として地図画像を作成する。そして、制御部２００は、作成した地図画像を、地図画像格納用データベース２０８に格納する。
【００９０】
ステップＳＴ４及びステップＳＴ５は、カーナビ１２が前記信号Ｓ１乃至Ｓ４に基づいて目的物の名称の表示である注記名称表示を作成する注記名称表示作成ステップの一例である。
【００９１】
ステップＳＴ４は、カーナビ１２が、注記名称表示の設定の変更を行うかどうかについての注記名称表示設定指定情報を取得したか否かを判断する、注記名称表示設定指定情報取得確認ステップの一例である。図８（ａ）の注記名称表示設定用アイコン３００が使用者によってクリックされることにより、カーナビ１２は、注記名称表示設定指定情報を取得する。
【００９２】
ここで、注記名称表示指定情報を取得した場合には、後述のステップＳＴ４０１に進む。  
一方、注記名称表示指定情報を取得しない場合には、ステップＳＴ５に進み、制御部２００が図３の注記名称表示作成情報格納用データベース２１４に格納された注記名称表示作成情報に基づいて、自己位置を基準として、注記名称表示を作成する。このときの表示レベルは標準表示レベルであり例えば、図４の表示レベル情報２１５ａのうちレベル３である。制御部２００は、作成した注記名称表示を、注記名称表示格納用データベース２１６に格納する。
【００９３】
ステップＳＴ６は、カーナビ１２が前記地図画像と前記注記名称表示とを合成して合成画像を作成する合成画像作成ステップの一例である。
すなわち、制御部２００が、地図画像格納用データベース２０８に格納された地図画像と、注記名称表示格納用データベース２１６に格納された注記名称表示とを合成する。
【００９４】
具体的には、制御部２００は、図３の合成画像作成情報格納用データベース２２４に格納された合成画像作成情報に基づいて、地図画像と注記名称表示とを合成して合成画像を作成する。そして、制御部２００は、作成した合成画像を合成画像格納用データベース２２６に格納する。
【００９５】
ステップＳＴ７は、カーナビ１２が合成画像を表示する表示ステップの一例である。
具体的には、制御部２００が、合成画像格納用データベース２２６に格納された合成画像を表示制御部２０２を介して図２の表示装置５４の表示画面５４ａに表示させる。
【００９６】
ステップＳＴ２乃至ＳＴ７は、カーナビ１２が作動している状態において、継続的に実施される。
本実施の形態によれば、使用者の必要に応じて、さらに以下のステップを実施することができる。
【００９７】
まず、ステップＳＴ４において注記名称表示設定指定情報を取得した場合には、ステップＳＴ４０１に進む。図１０のステップＳＴ４０１、図１１のステップＳＴ４０２及びステップＳＴ４０３は、カーナビ１２が注記名称表示の表示量が異なる複数の表示レベルである注記名称表示レベル情報から特定の表示レベルを選択する注記名称表示レベル選択ステップの一例である。
【００９８】
具体的には、図３の制御部２００が、図４の注記名称表示作成情報２１５に含まれる表示レベル選択情報２１５ｂに基づいて、使用者に必要な表示レベルを指定させ、その指定させた表示レベルを選択する。
以下、主に図５を参照して、ステップＳＴ４乃至ステップＳＴ４０３について説明する。
【００９９】
ステップＳＴ４においては、図３の表示制御部２０２は、図２の表示画面５４ａに例えば、図５（ａ）に示すように、注記名称表示設定指定用アイコン３００を表示する。注記名称表示設定とは、注記名称表示の現在の設定内容を変更するための処理である。
【０１００】
カーナビ１２の使用者によって注記名称表示設定指定用アイコン３００がクリックされることにより、カーナビ１２は注記名称表示設定指定情報を取得する（ステップＳＴ４０１）。そして、カーナビ１２の表示制御部２０２は、表示画面５４ａに、図５（ｂ）に示すように、表示レベル変更用アイコン３０１等を表示する。
【０１０１】
表示レベル変更用アイコン３０１は、使用者に例えば、現在の注記名称表示レベルがレベル１だとすれば、そのレベル１を他の表示レベルである例えば、レベル２に変更する選択をさせるためのアイコンである。
【０１０２】
カーナビ１２の使用者によって表示レベル変更用アイコン３０１をクリックされることにより、カーナビ１２は注記名称表示レベル変更指定情報を取得する（ステップＳＴ４０２）。注記名称表示レベル変更指定情報は、カーナビ１２が、現在の表示レベルを変更するための情報である。
そして、カーナビ１２の表示制御部２０２は、図５（ｃ）に示すように、表示画面５４ａに、使用者に表示レベルを指定させるために、レベル１に対応するアイコン５５ａ等を表示する。
【０１０３】
カーナビ１２は、使用者によって  アイコン５５ａ乃至５５ｄのいずれかがクリックされることにより、指定対象注記名称表示レベル情報を取得する（ステップＳＴ４０３）。
すなわち、カーナビ１２は、その使用者に、レベル１乃至レベル４のいずれかの表示レベルを指定させ、その指定させた表示レベルに基づいて、注記名称表示を作成できるように構成されているのである。
【０１０４】
そして、図５（ｄ）において、位置情報付コンテンツ利用選択用アイコン５５１又は５５２のうち、「利用しない」というアイコン５５２が選択されると（ステップＳＴ４０４）、図５（ｃ）で指定した表示レベルで、注記名称表示が作成される。
【０１０５】
ここで、表示レベル選択情報２１５ｂは、上述の地図画像の縮尺とは別個の情報であるから、カーナビ１２はその使用者に、同一縮尺において、レベル１乃至４のうちから任意の表示レベルを選択させることができる。
【０１０６】
これにより、本実施の形態によれば、同一縮尺において注記名称の表示量の選択を可能にした注記名称表示装置の設定方法を提供することができるのである。
【０１０７】
さらに、カーナビ１２の使用者の必要に応じて、以下のステップを実施することができる。
すなわち、ステップＳＴ４は、カーナビ１２が、位置情報付コンテンツ情報に含まれる注記名称を注記名称表示に変換し、位置情報付コンテンツ情報に含まれる位置情報を表示装置５４の表示画面５４ａ上の座標に変換する位置情報付コンテンツ変換ステップを含む。
図１１のステップＳＴ４０４乃至ステップＳＴ４０８は、この位置情報付コンテンツ変換ステップの一例である。
【０１０８】
具体的には、図３の制御部２００が、位置情報付コンテンツ格納用データベース２１８に格納されている例えば、電話帳のデータを、位置情報付コンテンツ変換情報格納用データベース２２０に格納されている位置情報付コンテンツ変換情報に基づいて変換し、変換後の位置情報付コンテンツを変換後位置情報付コンテンツ格納用データベース２２２に格納する。
以下、図２、図５及び図７を参照して、ステップＳＴ４０４乃至ステップＳＴ４０８について説明する。
【０１０９】
ステップＳＴ４０４において、図２の表示画面５４ａに図５（ｄ）に示す位置情報付コンテンツ利用選択用アイコン５５１及び５５２が表示され、使用者によって「利用する」というアイコン５５１がクリックされることにより、カーナビ１２は、位置情報付コンテンツ利用指定情報を取得する（ステップＳＴ４０４）。
そして、カーナビ１２は表示画面５４ａに図７（ａ）に示す電話帳データ項目選択用アイコン５５３ａ及び５５３ｂを表示する。
【０１１０】
使用者によって、電話帳データ項目選択用アイコン５５３ａ及び５５３ｂのうちいずれかがクリックされることにより、カーナビ１２は、被指定項目情報を取得する（ステップＳＴ４０５）。
【０１１１】
その被指定項目情報に基づいて、カーナビ１２は、被指定項目を例えば、図７（ｂ）に示す電話帳データから抽出する（ステップＳＴ４０６）。例えば、ステップＳＴ４０５において、図７（ａ）の銀行名称を表示するアイコン５５３ａ１がクリックされた場合には、図７（ｂ）の電話帳データに含まれる「ＡＢ銀行  東京都千代田区１丁目１番地１号  ０３−００００−９９９９」というデータを抽出する。
【０１１２】
そして、抽出した上記データから、「ＡＢ」銀行という名称と、「東京都千代田区１丁目１番地１号」という位置情報を取得する（ステップＳＴ４０７）。
さらに、「ＡＢ」銀行という名称を注記名称表示に変換し、「東京都千代田区１丁目１番地１号」という位置情報を表示画面５４ａ上の座標（ピクセル座標）に変換する（ステップＳＴ４０８）。
ステップＳＴ４０８の実行後は、図１０のステップＳＴ６及びＳＴ７に進む。
【０１１３】
これにより、位置情報付コンテンツに含まれる情報を、注記名称表示として表示画面５４ａに表示することができるのである。
【０１１４】
さらにまた、カーナビ１２の使用者の必要に応じて、以下のステップを実施することができる。
注記名称表示作成ステップＳＴ４は、図３の制御部２００が、図４の表示レベル内容変更情報２１５ｄに基づいて、カーナビ１２の使用者に内容の変更が必要な表示レベルを指定させ、その指定させた表示レベルの内容を変更する表示レベル内容変更ステップの一例である図１１のステップＳＴ４１１、図１２のステップＳＴ４１２及びステップＳＴ４１３を含む。
【０１１５】
以下、主に図２、図３及び図８を使用して、ステップＳＴ４１２及びＳＴ４１３について説明する。
図８（ａ）に示す注記名称表示設定用アイコン３００が使用者によってクリックされ、さらに、図８（ｂ）に示す表示レベル内容編集用アイコン３０２がクリックされることにより、カーナビ１２は、注記名称表示レベル内容編集指定情報を取得する（ステップＳＴ４１１）。
【０１１６】
ここで、表示レベル内容編集用アイコン３０２は、使用者に例えば、現在の注記名称表示レベルがレベル１だとすれば、そのレベル１において現在表示されている注記項目が例えば、地名と自然名称だけである場合に、行政機関という注記項目を追加するという選択をさせるためのアイコンである。
【０１１７】
そして、図３の表示制御部２０２は、図１の表示画面５４ａに図８（ｃ）に示す、編集対象レベル指定用アイコン６５ａ乃至６５ｄを表示する。これにより、使用者に、編集対象の表示レベルを指定させることができる。
【０１１８】
例えば、編集対象レベル指定用アイコン６５ａがクリックされることにより、カーナビ１２は、レベル１を指定する編集対象注記名称表示レベル指定情報を取得する（ステップＳＴ４１２）。
そして、表示制御部２０２は、表示画面５４ａに図８（ｄ）に示す、注記項目変更用アイコン６７ａ及び６７ｂを表示する。
【０１１９】
カーナビ１２はその使用者に、これらの各アイコン６７ａ及び６７ｂを指定させることによって、使用者から、必要な注記項目を追加表示する追加表示情報の取得や、不必要な注記項目を削除するための非表示情報を取得する（ステップＳＴ４１３）。
そして、制御部２００は、変更後の表示レベル１の内容を保存する。
【０１２０】
これにより、同一縮尺の同一の表示レベルにおいて、カーナビ１２の使用者が必要とする注記項目に属する注記名称表示を表示させることができるのである。
【０１２１】
なお、ステップＳＴ４１３に引き続いて、各注記項目の中においても、位置情報付コンテンツである例えば、電話帳データから、任意の注記名称表示を作成することができる（ステップＳＴ４１４乃至ステップＳＴ４１８）。ステップＳＴ４１４乃至ステップＳＴ４１８におけるカーナビ１２の動作は、上述したステップＳＴ４０４乃至ステップＳＴ４０８と同様であるから、説明を省略する。
【０１２２】
本実施の形態のカーナビ１２は、さらに以下のステップを実施することができる。
すなわち、図１０の合成画像作成ステップＳＴ６は、カーナビ１２が、注記名称表示の表示画面５４ａ上における注記座標と、注記名称表示の表示画面５４ａにおける面積である注記面積に基づいて、注記名称表示が表示画面５４ａにおいて互いに重なり合うか否かを判断する重複判断情報ステップの一例である図１３のステップＳＴ６０１乃至ステップＳＴ６０６を含む。
【０１２３】
ステップＳＴ６０１乃至ステップＳＴ６０６においては、制御部２００が、合成画像作成情報格納用データベース２２４に格納されている重複判断情報２２５ａに基づいて、注記名称表示が表示画面５４ａにおいて互いに重なり合うか否かを判断する。
【０１２４】
また、合成情報作成ステップＳＴ６は、カーナビ１２が、注記名称表示の表示画面５４ａにおける配置及び／又は文字の大きさを変更することによって、注記名称表示の表示画面５４ａにおける重なり合いを防止する重複防止ステップの一例であるステップＳＴ６０７を含む。
【０１２５】
ステップＳＴ６０７においては、制御部２００が、合成情報作成情報格納用データベース２２４に格納されている重複防止情報２２４ｂに基づいて、注記名称表示が表示画面５４ａにおいて互いに重なり合うことを防止する。
【０１２６】
以下、ステップＳＴ６０１乃至ステップＳＴ６０７について、図７等を使用して説明する。
制御部２００は、表示画面５４ａに表示されるすべての注記名称の情報を取得し（図１３のステップＳＴ６０１）、注記名称表示の配置の計算を開始する（ステップＳＴ６０２）。
【０１２７】
注記名称表示の配置の計算においては、まず、注記名称の位置情報を表示画面５４ａ上に表示する座標に変換する（ステップＳＴ６０３）。例えば、図７（ｂ）の「ＡＢ銀行、東京都千代田区１丁目１番地１号  ０３−００００−９９９９」という電話帳の情報を座標変換するためには、「東京都千代田区１丁目１番地１号」という位置情報を抽出して表示画面５４ａ上の座標（ピクセル座標）に変換する。
【０１２８】
次に、各注記名称の文字数から標準の文字の大きさにおける注記名称表示が占める面積情報を取得する（ステップＳＴ６０４）。上述の例では、「ＡＢ銀行」という注記名称の文字数は４文字であるから、各文字の占める面積に基づいて、それを例えば１列に並べた場合の注記名称表示の面積を求めることができる。「ＡＢ銀行」という注記名称表示の占める面積は、１文字が縦横各１６ピクセルだとすれば、２５６ピクセルであるということになる。
【０１２９】
続いて、各注記名称表示の表示画面５４ａ上に表示される座標を基点して、各注記名称表示を配置した場合に、各注記名称表示が重ならないかを面積情報を基に計算する（ステップＳＴ６０５）。  
【０１３０】
すなわち、制御部２００は、重複判断情報２２５ａに基づいて、例えば上記のようなシミュレーションを行うことによって、注記名称表示が表示画面５４ａにおいて重複するか否かを判断する。
【０１３１】
すべての注記名称表示の重複判断（ステップＳＴ６０６）において、すべての注記名称表示が重複しないと判断した場合には、図１０の合成画像表示ステップＳＴ７へ進む。
【０１３２】
これに対して、注記名称表示が重複すると判断した場合には、重複防止ステップＳＴ６０７へ進む。
重複防止ステップＳＴ６０７においては、図３の制御部２００は、重複防止情報２２５ｂに基づいて、注記名称表示の表示画面５４ａにおける配置及び／又は文字の大きさを変更することによって、注記名称表示の表示画面５４ａにおける重なり合いを防止する。
【０１３３】
すなわち、カーナビ１２は、重複判断情報２２５ａに基づいて、注記名称表示が重複すると判断した場合には、重複防止情報２２５ｂに基づいて例えば、注記名称表示の文字の大きさを小さくする、注記名称表示の文字の方向を変更する、注記名称表示の文字数を少なくすること等によって、注記名称表示の表示画面５４ａにおける重なり合いを防止する。
ステップＳＴ６０７の実行後は、図１０のステップＳＴ７へ進む。
【０１３４】
これにより、注記名称表示の表示量が多い場合でも、注記名称表示を重複することなく、表示画面５４ａに表示することができるのである。
【０１３５】
（第２の実施の形態）
次に、第２の実施形態について説明する。第２の実施形態におけるカーナビ２２の構成は、上記第１の実施形態のカーナビ１２と多くの構成が共通するため共通する部分は同一の符号等とし、説明を省略し、以下、相違点を中心に説明する。
【０１３６】
図１４は、第２の実施の形態のカーナビ２２の注記名称表示作成情報格納用データベース２１４に格納されている注記名称表示作成情報２２５を示す図である。
図１５は、カーナビ２２の表示画面５４ａ画像例である。  
第２の実施形態では、図１４に示すように、カーナビ２２はそのソフト構成において、第１の実施形態とは異なる点がある。
【０１３７】
図１４に示すように、注記名称表示作成情報２２５は、自動表示レベル変更情報２１５ｅを含む。
自動表示レベル変更情報２１５ｅは、カーナビ２２が、その使用者によって指定された指定目的物との距離に基づいて、例えば、その指定目的物との距離が遠い場合には表示レベルを注記名称表示の表示量が最小であるレベル１に設定し、指定目的物との距離が近づくと注記名称表示の表示量が多いレベル３に自動的に設定変更を行うための情報である。
【０１３８】
指定目的物と距離が遠い場合には、注記名称表示の表示量が少なく、自己位置周辺の注記名称表示が少ない方が注記名称表示装置の使用者にとって都合がよい場合があり。例えば、使用者の自宅から遠方に出かける場合には、自宅周辺は使用者にとってなじみの深い地域であるから、自己位置周辺の注記名称表示は少なくても十分である。逆に、自己位置周辺の注記名称表示が多いと図２の表示画面５４ａが煩雑になり、見ずらい。
【０１３９】
これに対し、指定目的物と距離が近くなるにつれて、注記名称表示の表示量が多くなり、自己位置周辺の前記注記名称表示が多い方が前記注記名称表示装置の使用者にとって都合がよい場合がある。例えば、使用者の自宅から遠方にある指定目的物を目指して出かける場合には、その指定目的物は使用者にとってなじみの薄い地域にある場合があるから、注記名称表示の表示量が多い方が、指定目的物への道筋を理解しやすい。
【０１４０】
これにより、利用者にとって利便性の高いカーナビ２２を提供することができるのである。
【０１４１】
また、第２の実施の形態においては、図１４に示すように、注記名称表示作成情報２２５は、区別表示情報２１５ｆを含む。
区別表示情報２１５ｆは、カーナビ２２の使用者によって指定された指定注記項目を、その指定注記項目以外の非指定注記項目と区別して表示するための情報である。
【０１４２】
このため、カーナビ２２は、指定注記項目に属する注記名称表示を例えば、視認が容易なように太文字で表示したり、立体的に表示したり、あるいは、指定項目に属する注記名称表示を視認が容易にするために、非指定項目情報を目立たないように半透明にするなど、指定項目と前記非指定項目とを区別して表示することができる。
これにより、カーナビ２２の使用者が必要とする注記項目に属する注記名称表示を、視認容易な態様で表示させることができる。
【０１４３】
（第２の実施形態のカーナビ２２の動作例等について）
以上のように、第２の実施形態のカーナビ２２は構成されるが、以下その動作例を説明する。
【０１４４】
図３の制御部２００は、カーナビ２２作動中は、図２の表示画面５４ａに図１５（ａ）
に示す、注記名称表示設定用アイコン３０１を表示しているのであるが、この注記名称表示設定用アイコン３０１が使用者によってクリックされると、図１５（ｂ）に示すように、表示制御部２０２は、自動表示レベル変更用アイコン３２０、区別表示設定用アイコン３２２等を表示画面５４ａに表示する。
【０１４５】
自動表示レベル変更用アイコン３２０が使用者によってクリックされた場合には、図１４の自動表示レベル変更情報２１５ｅに基づいて例えば、その使用者によって指定された指定目的物との距離に基づいて、例えば、その指定目的物との距離が遠い場合には表示レベルを注記名称表示の表示量が最小であるレベル１に設定し、指定目的物との距離が近づくと注記名称表示の表示量が多いレベル３に自動的に設定変更を行う。
【０１４６】
また、区別表示用アイコン３２２が使用者によってクリックされた場合には、制御部２００は、図１５（ｃ）に示す、区別表示追加表アイコン５５７ａ及び区別表示解除用アイコン５５７ｂを表示する。
【０１４７】
区別表示追加用アイコン５５７ａは、区別表示対象項目を追加するためのアイコンであり、制御部２００は例えば、商店名称の右横に位置する追加用アイコン５５７ａがクリックされると、商店名称に属する注記名称表示を区別して表示する。
【０１４８】
区別表示解除用アイコン５５７ｂは、区別表示対象項目を削除するためのアイコンであり、制御部２００は例えば、商店名称の右横に位置する削除用アイコン５５７ｂがクリックされると、今まで区別表示していた商店名称に属する注記名称表示について、区別表示を解除する。
【０１４９】
（第３の実施の形態）
次に、第３の実施形態について説明する。第３の実施形態におけるカーナビ３２の構成は、上記第１の実施の形態のカーナビ１２及び第２の実施形態のカーナビ２２と多くの構成が共通するため共通する部分は同一の符号等とし、説明を省略し、以下、相違点を中心に説明する。
【０１５０】
図１６は、第３の実施の形態のカーナビ３２の主なソフト構成を示す概略図である。
図１７及び図１８は、第３の実施の形態のカーナビ３２の表示画面５４ａに表示される画像例を示す図である。
図１８は、第３の実施の形態のカーナビ３２の動作例を示すフローチャートである。
【０１５１】
第３の実施形態では、図１６に示すように、カーナビ３２のソフト構成において、第１の実施の形態及び第２の実施形態とは異なる点がある。
【０１５２】
すなわち、図１６に示すように合成画像作成情報格納用データベース２２４に格納される合成画像作成情報２２５には、許容限度判断情報２２５ｃが含まれる。
許容限度判断情報２２５ｃは、注記名称表示の面積である注記面積が、注記表示部に占める割合である注記面積割合が許容限度以上か否かを判断するための情報である。
【０１５３】
また、合成画像作成情報２２５には、レイヤ生成情報２２５ｄが含まれる。
レイヤ生成情報２２５ｄは、注記面積が前記許容限度未満となるために必要な数のレイヤを生成するための情報である。
【０１５４】
このため、図１６の制御部２００は、許容限度判断情報に２２５ｃ基づいて、注記名称表示が表示画面５４ａにおいて占める面積が許容限度以上であると判断した場合には、レイヤ生成情報２２５ｄに基づいて、注記面積が許容限度未満となるために必要な数のレイヤを生成することができる。
【０１５５】
これにより、単一のレイヤにおいては、例えば、注記名称表示を重複することなく表示できない場合、あるいは、視認困難な表示になる場合等、許容限度以上である場合においては、注記名称表示を複数のレイヤに分散させ、各レイヤの注記名称表示の表示量を許容限度未満にすることによって、視認容易な態様で注記名表示を表示装置５４に表示させることができるのである。
そして、上述の許容限度は変更可能であり例えば、７０％である。
【０１５６】
また、図１６に示すように、合成画像作成情報２２５は、注記名称表示に優先順位を与え、複数のレイヤのうち時間的に先に及び／又は長く表示される上位レイヤに、優先順位が高い注記名称表示を割り当てる優先割り当て情報２２５ｅを含む。
【０１５７】
優先割り当て情報２２５ｅとして、注記名称表示に例えば、行政機関に属する注記名称表示が第１位であるという優先順位を与えることにより、複数のレイヤのうち時間的に先に及び／又は長く表示される上位レイヤに行政機関に属する注記名称表示を割り当てることができる。
これにより、カーナビ３２の使用者が必要とする注記名称表示を優先的に表示することができる。
なお、カーナビ３２の使用者が優先的に表示する必要がある注記名称表示がない場合には、上述の優先順位は例えば、５０音順（あいうえお順）等でもよい。
【０１５８】
（第３の実施形態のカーナビ３２の動作例等について）
以上のように、第３の実施形態のカーナビ３２は構成されるが、以下その動作例を説明する。
【０１５９】
第１の実施の形態において説明した図１３の重複防止ステップＳＴ６０７において、すべての注記名称表示を単一のレイヤで重複なく表示することが不可能だと判断した場合には、カーナビ３２の制御部２００は、注記面積が表示画面５４２ａに占める割合である注記面積割合が許容限度以上か否かを判断する許容限度判断ステップと、注記面積が許容限度未満となるために必要な数のレイヤの生成するレイヤ生成ステップを実行する。
【０１６０】
具体的には、図１６の制御部２００は、合成画像作成情報格納用データベース２２４に格納された合成画像作成情報２２５に含まれるレイヤ生成情報２２４ｄに基づいて、以下のステップを実行する。
【０１６１】
すなわち、図１６の制御部２００は、図１３のステップＳＴ６０７において、注記名称配置再計算を行った結果、単一のレイヤでは重複することなくすべての注記名称表示を表示画面５４ａに表示できないと判断した場合には、図１９のレイヤ追加開始ステップＳＴ７１１に進む。
【０１６２】
すなわち、図１３のステップＳＴ６０７は、注記面積が表示画面５４ａに占める割合である注記面積割合が許容限度以上か否かを判断する許容限度判断ステップの一例でもある。
【０１６３】
そして、以下のテップＳＴ７１１乃至ステップＳＴ７２０は、カーナビ３２の制御部２００が、注記面積が許容限度未満となるために必要な数のレイヤを生成するレイヤ生成ステップの一例である。
図１６の制御部２００は、レイヤ追加開始ステップＳＴ７１１において、表示画面５４ａに、図１７（ａ）に示すレイヤ優先順位設定用アイコン３４０を表示する。
【０１６４】
そして、カーナビ３２の使用者によってレイヤ優先順位設定用アイコン３４０が例えば５秒以内にクリックされた場合には、制御部２００は、図１７（ｂ）に示す優先順位指定項目設定用アイコン５５９ａ乃至５５９ｄを表示画面５４ａに表示する。
【０１６５】
そして、カーナビ３２の使用者によって例えば、優先順位指定項目設定用アイコン５５９aがクリックされた場合には、制御部２００は、５０音順（あいうえお順）によって注記名称表示を上述の上位レイヤに割り当てるという情報を取得する（ステップＳＴ７１２）。
【０１６６】
ステップＳＴ７１３において、制御部２００は、各注記名称の文字数から例えば、縦横４ピクセルという標準の文字の大きさにおける、すべての注記名称表示が表示画面５４ａに締める注記面積を算出する（ステップＳＴ７１３）。
【０１６７】
例えば、縦横が各１６ピクセルであれば一文字の注記面積は２５６ピクセルである。それぞれの注記名称が４文字であるとすれば、各注記名称の注記面積は１，０２４ピクセルである。注記名称の数が１００個の注記名称の注記面積の合計である総注記面積は１０２，４００ピクセルということになる。
【０１６８】
ステップＳＴ７１４において、制御部２００は、図３の表示装置５４の表示画面５４ａにおける注記名称表示が締める許容限度である例えば、７０％という許容限度に基づいて、すべての注記名称表示をその許容限度未満で表示画面５４ａに表示するために必要な数のレイヤを計算する。
【０１６９】
表示画面５４aの面積が例えば、縦２００ピクセル、横５００ピクセルである場合、表示画面５４aの面積は１００，０００ピクセルである。この表示画面５４aの７０％の面積である許容限度面積は、７０，０００ピクセルである。
【０１７０】
上述の総注記面積１０２，４００ピクセルの注記名称表示を、許容限度面積７０，０００ピクセルに表示するためには、レイヤ数は２必要である。
制御部２００は例えば、以上の内容の演算処理を行う。
【０１７１】
ステップＳＴ７１５において、制御部２００は、すべての注記名称数である１００をステップＳＴ７１４で算出したレイヤ数２で割り、１レイヤで表示できると思われる表示可能注記名称数を計算する。上述の例では、注記名称数１００を２で割り、表示可能注記名称数は５０個となる。
【０１７２】
ステップＳＴ７１６においては、優先順位が高い注記名称から順に、上述の表示可能注記名称数である５０個ごとに、上位レイヤに配置する計算をする。
制御部２００は、ステップＳＴ７１２において、優先順位は５０音順で決定するという情報を取得しているから、すべての注記名称をひらがなの５０音順に並べ、５０個づつのグループを生成する。
【０１７３】
例えば、「あ」という文字を冒頭にする注記名称が６０個あり、「い」という文字を冒頭にする注記名称が４０個ある場合には、最も上位のレイヤには「あ」から始まる注記名称が５０個、注記名称表示として配置される。
そして、第２位のレイヤには「あ」から始まる注記名称１０個及び「い」から始まる注記名称４０個が、注記名称表示として配置される。  
【０１７４】
ステップＳＴ７１７において、制御部２００が、すべての注記名称表示が図３の表示装置５４の表示画面において重複するか否かを判断し、重複しない場合には図１０のステップＳＴ７に進み、合成情報が表示画面５４ａに複数のレイヤで表示される。
【０１７５】
例えば、図１８（ａ）に示すように、最も上位のレイヤには「あ」から始まる注記名称表示が優先的に表示される。
そして、図１８（ｂ）に示すように、第２位のレイヤには「あ」から始まる注記名称表示で最も上位のレイヤに表示できなかった注記名称表示と、「い」から始まる注記名称表示が表示される。  
【０１７６】
ステップＳＴ７１８において、制御部２００が、注記名称表示が図３の表示装置５４の表示画面において重複すると判断した場合には、ステップＳＴ７１８において注記名称配置を再計算する。ステップＳＴ７１８においては、制御部２００は、図１３のステップＳＴ６０７と同様の処理をする。
【０１７７】
ステップＳＴ７１８において注記名称の重複を防止するための処理が終了すると、制御部２００は、注記名称と地図画像とを合成する（ステップＳＴ７１９）。
【０１７８】
すべてのレイヤについて、ステップＳＴ７１７乃至ステップＳＴ７１９が終了すると、図１０のステップＳＴ７に進み、合成情報が表示装置５４の表示画面５４ａに複数のレイヤで表示される。
【０１７９】
なお、上述のステップＳＴ７１１において、カーナビ３２の使用者によってレイヤ優先順位設定用アイコン３４０が例えば５秒以内にクリックされなかった場合には、レイヤ優先順位は、標準の設定である例えば、アルファベット順（ＡＢＣ順）で設定される。
【０１８０】
（プログラム及びコンピュータ読み取り可能な記録媒体等について）
コンピュータに上述の動作例の位置情報取得ステップと、地図画像作成ステップと、道路画像作成ステップと、注記名称表示作成ステップと、合成画像作成ステップと、合成画像を表示する表示ステップ等を実行させるための注記名称表示プログラムとすることができる。
また、このような注記名称表示プログラム等を記録したコンピュータ読み取り可能な記録媒体等とすることもできる。
これら注記名称表示プログラム等をコンピュータにインストールし、コンピュータによって実行可能な状態とするために用いられるプラグラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、  ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【０１８１】
本発明は、上述の各実施の形態に限定されない。さらに、上述の各実施の形態は、相互に組み合わせて構成するようにしてもよい。
例えば、本発明の適用はカーナビゲーションシステムに限定されず、使用者によって指示された地域の電子地図を作成するシステム等にも適用できる。
具体的には、インターネット通信網を介してコンピュータ装置（サーバ）が、使用者によって指示された地域の地図、又は、使用者によって指示された建造物等の周辺の地図を提供するシステム等にも適用できる。
さらに、インターネット通信網を介すのではなくて、地図情報等を有しており、使用者によって指示された地域の地図等を提供するコンピュータプログラム及びそのコンピュータプログラムを有する装置等にも適用できる。
【図面の簡単な説明】
【０１８２】
【図１】カーナビゲーション装置等を示す概略図である。
【図２】カーナビの主なハードウエア構成等を示す概略図である。
【図３】カーナビの主なソフトウエア構成等を示す概略図である。
【図４】注記名称表示作成情報の一例を示す図である。
【図５】表示画面に表示される画像の一例を示す図である。
【図６】表示画面に表示される画像の一例等を示す図である。
【図７】電話帳のデータ等を示す図である。
【図８】表示画面に表示される画像の一例を示す図である。
【図９】注記名称表示の重複状態等を示す図である。
【図１０】カーナビの動作例を示す概略フローチャートである。
【図１１】カーナビの動作例を示す概略フローチャートである。
【図１２】カーナビの動作例を示す概略フローチャートである。
【図１３】カーナビの動作例を示す概略フローチャートである。
【図１４】注記名称表示作成情報の一例を示す図である。
【図１５】表示画面に表示される画像の一例を示す図である。
【図１６】カーナビの主なソフト構成を示す概略図である。
【図１７】表示画面に表示される画像の一例を示す図である。
【図１８】表示画面に表示される画像の一例を示す図である。
【図１９】カーナビの動作例を示す概略フローチャートである。
【符号の説明】
【０１８３】
１２・・・カーナビゲーション装置、１４ａ乃至１２ｄ・・・ＧＰＳ衛星、５０・・・ＧＰＳ装置、５２・・・記録装置、５４・・・表示装置、５４ａ・・・表示画面、２００・・・制御部、２０２・・・表示制御部、２０４・・・自己位置測位部、２０６・・・地図画像作成情報格納用データベース、２１４・・・注記名称表示作成情報格納用データベース、２２０・・・位置情報付コンテンツ変換情報格納用データベース、２２４・・・合成画像作成情報格納用データベース
【図１】
2005227340.tif 000003
【図２】
2005227340.tif 000004
【図３】
2005227340.tif 000005
【図４】
2005227340.tif 000006
【図５】
2005227340.tif 000007
【図６】
2005227340.tif 000008
【図７】
2005227340.tif 000009
【図８】
2005227340.tif 000010
【図９】
2005227340.tif 000011
【図１０】
2005227340.tif 000012
【図１１】
2005227340.tif 000013
【図１２】
2005227340.tif 000014
【図１３】
2005227340.tif 000015
【図１４】
2005227340.tif 000016
【図１５】
2005227340.tif 000017
【図１６】
2005227340.tif 000018
【図１７】
2005227340.tif 000019
【図１８】
2005227340.tif 000020
【図１９】
2005227340.tif 000021